(57)【特許請求の範囲】
【請求項１】
釣糸が巻回される釣糸巻回胴部とスカート部を有するスプールと、前記スプールの回転に制動力を付与するドラグ機構とを有する魚釣用スピニングリールにおいて、
前記スカート部に、スプール軸に沿う方向に直線状に延びる細幅の貫通孔を、周方向に亘って略均一に複数本形成し、
前記貫通孔は、周方向における両サイドの内面が、スカート部の外周面に対して鈍角となる傾斜面に形成されていることを特徴とする魚釣用スピニングリール。
【請求項２】
前記貫通孔は、両端部の内面が凹状に湾曲する傾斜面に形成されていることを特徴とする請求項１に記載の魚釣用スピニングリール。
【請求項３】
前記貫通孔は、スカート部の前後方向において、溝幅が変化する形状となっていることを特徴とする請求項１又は２に記載の魚釣用スピニングリール。
【発明の詳細な説明】
【技術分野】
【０００１】
本発明は、釣糸が巻回されるスプール部分に特徴を有する魚釣用スピニングリールに関する。
【背景技術】
【０００２】
通常、魚釣用スピニングリールは、魚が掛かった際の釣糸の引き出しに対し、一定の制動力を与えるドラグ機構を備えており、釣糸に対する制動力は、スプールの前端、またはリール本体の後端に設けられたドラグノブを回転することで調整可能となっている。前記制動力については、魚が掛かっていないときに、予め所望の状態に設定しておくことが多いが、魚の引きとのやり取りの最中に、咄嗟に制動力を調整することがある。例えば、障害物の回りで魚を掛けた場合など、瞬時に強い制動力を付与する必要がある（制動力を付与せずに魚が障害物の中に入り込んでしまうと糸切れが生じ易い）。このような場合、従来のドラグ機構では、慌ててドラグノブを締め付けることとなるが、間に合わなかったり、或いは締め付けすぎて糸切れしてしまうことがある。
【０００３】
一般的な魚釣用スピニングリールでは、実釣時において魚が掛かかり、スプールが回転して釣糸が繰り出された際、制動力を与えるために回転するスプール本体を指で摘むことも有り得るが、このような手法では、微妙な制動力の調整が難しい。このため、スプールのスカート部分に指を押し付けることで制動力の微妙な調整が行えるものが考えられる。
【０００４】
ところで、従来の魚釣用スピニングリールには、回転するスプールに対して、ハンドルを巻き取り操作する側の指を利用して微妙なドラグ力の調整を行うべくスプール部分（特にスカート部分）に特別な工夫を施すという発想は存在しない。  
ただし、最近の魚釣用スピニングリールでは、スプール部分に様々な理由で開口や溝を形成することが行われている（特許文献１参照）。
【先行技術文献】
【特許文献】
【０００５】
【特許文献１】特開２００２−２３８４０９号
【発明の概要】
【発明が解決しようとする課題】
【０００６】
上記した特許文献１に開示されているスプールには、スカート部分のリール本体側に周方向に沿って連続した円形開口が形成されているが、このような円形開口は意匠的な理由で施されたものであって、ドラグ力の調整を行う上で適切なものとなっていない。また、この特許文献１には、スカート部分に、長手方向に沿うと共に周方向に連続的に凹溝を形成した構成も開示されているが、このような凹溝は、放熱を意図したものであり、前記同様、ドラグ力の調整を行う上で適切なものではない。さらに、周方向に連続形成された凹溝では、水分（手や釣糸に付着している水分）が内部に留まってしまい、滑り易くなって制動感が変化してしまう。
【０００７】
本発明は、上記した問題に着目してなされたものであり、釣糸が繰り出された際のスプールの制動調整がし易いと共に、水分等による滑りや魚の引きとのやり取り中において、制動感の変化を抑えた魚釣用スピニングリールを提供することを目的とする。
【課題を解決するための手段】
【０００８】
上記した目的を達成するために、本発明は、釣糸が巻回される釣糸巻回胴部とスカート部を有するスプールと、前記スプールの回転に制動力を付与するドラグ機構とを有する魚釣用スピニングリールにおいて、前記スカート部に、スプール軸に沿う方向に直線状に延びる細幅の貫通孔を、周方向に亘って略均一に複数本形成し、前記貫通孔は、周方向における両サイドの内面が傾斜面に形成されていることを特徴とする。
【０００９】
上記した魚釣用スピニングリールの構成によれば、実釣時に魚が掛かって釣糸が繰り出されてスプールが回転した際、ハンドルを操作している手の指（主に人差し指）をそのままスカート部分に押し付けることで、微妙な制動力を付与することが可能となる。すなわち、スプールと共に回転する細幅の貫通孔が、指の腹部に細かく密に食い込むため、サミング操作時に制動力が調整し易くなる。また、貫通孔であるため、手や釣糸に付着している水分が貫通孔内に浸入しても、内面側から逃げることができ、これにより、滑り難く、魚の引きとのやり取りの最中、同一の制動感が得られるようになる。さらに、貫通孔の周方向における両サイドの傾斜面は、その外面側の端部が鈍角になることから、サミングする指をスライドさせても引っ掛かったりせず、滑らかな調整が可能となり、指が痛くなることもない。
【発明の効果】
【００１０】
本発明によれば、釣糸が繰り出された際のスプールの制動調整がし易いと共に、水分等による滑りや魚の引きとのやり取り中において、制動感の変化を抑えた魚釣用スピニングリールが得られる。
【図面の簡単な説明】
【００１１】
【図１】本発明に係る魚釣用スピニングリールの第１の実施形態を示す図。
【図２】実釣時において、スプールに対して指で制動力を付与する状態を示す図。
【図３】スプール部分の拡大図。
【図４】図３のＡ−Ａ線に沿った断面図。
【図５】図３のＢ−Ｂ線に沿った断面図。
【図６】スカート部に形成される貫通孔を拡大した平面図。
【図７】図５に示した断面図の一部拡大図。
【図８】図４に示した断面図の一部拡大図。
【図９】貫通孔の第１の変形例を示す平面図。
【図１０】図９のＣ−Ｃ線に沿った断面図。
【図１１】貫通孔の第２の変形例を示す平面図。
【図１２】図１１のＤ−Ｄ線に沿った断面図。
【図１３】貫通孔の第３の変形例を示す平面図。
【図１４】図１３のＥ−Ｅ線に沿った断面図。
【図１５】図１３のＦ−Ｆ線に沿った断面図。
【図１６】図１３のＧ−Ｇ線に沿った断面図。
【図１７】本発明に係るスピニングリールの第２の実施形態を示す図であり、スプール部分の拡大図。
【図１８】図１７のＨ−Ｈ線に沿った断面図。
【図１９】図１７のＩ−Ｉ線に沿った断面図。
【図２０】第２実施形態において、貫通孔を拡大した平面図。
【図２１】図１８に示した断面図の一部拡大図。
【図２２】図２０のＫ−Ｋ線に沿った断面図。
【図２３】図２０のＬ−Ｌ線に沿った断面図。
【図２４】本発明に係るスピニングリールの第３の実施形態を示す図であり、スプール部分の拡大図。
【図２５】図２４のＭ−Ｍ線に沿った断面図。
【図２６】第３実施形態において、貫通孔を拡大した平面図。
【図２７】図２５に示した断面図の一部拡大図。
【図２８】図２４のＮ−Ｎ線に沿った断面図。
【発明を実施するための形態】
【００１２】
以下、図面を参照しながら本発明に係る魚釣用リールの実施形態について説明する。  
図１及び図２は、本発明に係る魚釣用スピニングリールの第１の実施形態を示す図であり、図１は全体構成を示す図、図２は実釣時において、スプールに対して指で制動力を付与する状態を示す図である。
【００１３】
魚釣用スピニングリールのリール本体１には、釣竿Ｒに装着される脚部１Ａが形成されている。前記リール本体１内には、ハンドル軸３が軸受を介して回転可能に支持されており、ハンドル軸３の端部には、巻き取り操作されるハンドル４が装着されている。また、前記ハンドル軸には、公知の駆動力伝達機構が連結されており、ハンドル４の回転操作に伴ってロータ５を回転駆動すると共に、スプール軸６に係合する公知のオシレーティング機構を介して、スプール軸６の先端部に保持されたスプール７を前後動させるようになっている。
【００１４】
前記ロータ５には、一対の支持アーム５ａが軸方向に延出して対向するように形成されており、各支持アーム５ａの先端には、夫々、ベール支持部材９を介して、ベール１０が釣糸放出状態と釣糸巻回状態に回動可能に支持されている。そして、一方のベール支持部材９とベール１０の端部との間には、釣糸案内装置１２が支持されている。
【００１５】
上記した構成において、ハンドル４を回転操作すると、駆動力伝達機構を介してロータ５が回転駆動されると共に、スプール軸６に係合したオシレーティング機構を介してスプール７が前後動される。これにより、釣糸は、ロータ５と共に回転する釣糸案内装置１２を介してスプール７に片寄ること無く均等に巻回される。
【００１６】
また、前記スプール軸６とスプール７との間には、公知のドラグ機構１５が配設されており、スプールの前端面に設けられたドラグノブ１６を回転操作することで、スプール７の釣糸繰り出し方向の回転に制動力を付与するようになっている（通常、ロータ５は、逆転防止状態に設定されている）。このドラグ機構１５は、ドラグノブ１６を回転操作することでスプール７に対する制動力を調整し、魚が掛かって釣糸が引き出された際、それに伴って回転するスプール７の回転に所望の制動を掛け、釣糸の切れや魚の口切れを防止する機能を果たす。
【００１７】
前記スプール７は、釣糸が巻回される釣糸巻回胴部７ａと、その前方側に位置するフランジ７ｂと、後方側に位置して径方向に膨出するスカート部７ｃとを備えており、釣糸巻回胴部７ａに巻回される釣糸は、フランジ７ｂとスカート部７ｃとによって規制される。そして、前記スカート部７ｃの外周面には、制動力を調整するための貫通孔２０が周方向に亘って複数、形成されている。このような複数の貫通孔２０は、指を当て付けることでその回転に制動力を付与することが可能となる。
【００１８】
具体的には、図２に示すように、実釣時では、一方の手の指と指の間（中指と薬指の間など）に脚部１Ａを挟みつつ、釣竿Ｒを握り込み、他方の手でハンドル４の回転操作を行う。この状態で魚が掛かり、釣糸を引き出すとスプール７は、釣糸放出方向に回転することとなるが、この回転に対しては、ハンドル４を握っている手の指を伸ばし、スカート部分に当接させることで、貫通孔２０との間に作用する摩擦力によって所望の制動力を直ちに作用させることが可能となる。すなわち、ハンドル部分から手を離してドラグノブ１６を回転操作する必要がないため、ハンドルの素早い巻き取り移行状態を維持しつつ、ドラグ力の微妙な調整を行うことが可能となる。
【００１９】
以下、図３から図８を併せて参照しながら、スプールのスカート部７ｃに設けられる貫通孔２０の構成について具体的に説明する。なお、これらの図において、図３はスプール部分の拡大図、図４は図３のＡ−Ａ線に沿った断面図、図５は図３のＢ−Ｂ線に沿った断面図、図６はスカート部に形成される貫通孔を拡大した平面図、図７は図５に示した断面図の一部拡大図、そして、図８は図４に示した断面図の一部拡大図である。
【００２０】
前記スプール７を構成するスカート部７ｃには、スプール軸６に沿う方向Ｘに直線状に延びる細幅の貫通孔２０が、周方向（スプール軸方向Ｘと直交する方向Ｙ）に亘って略均一に複数本形成されている。各貫通孔２０は、細幅、具体的には、スプール軸６に沿う方向の成分（孔の延出方向）Ｘ１が、周方向に沿う方向の成分（孔の幅方向）Ｙ１より大きい細幅形状（好ましくはＸ１：Ｙ１＝１００：３〜３０がサミングする指（人差し指）の形状からサミングのフィーリングが良い）に形成されており、スカート部の外側から内側に貫通されている。なお、細幅の貫通孔２０の幅寸法は、サミングする指（人差し指）の形状を考慮すると、１．０〜５．０ｍｍが好ましく、ゴツゴツ感の少ない滑らかな制動感及び制動力が得られる。また、図６から図８に示すように、各貫通孔２０は、スカート部の外側から内側に向けて垂直に切り立つように形成されており、水分などが容易に抜け易いように形成されている。なお、細幅の貫通孔２０がスプール軸方向Ｘに沿って形成される場合、前記夫々の成分Ｘ１，Ｙ１の方向は方向Ｘ，Ｙと一致する。
【００２１】
そして、貫通孔２０は、スカート部７ｃの周方向に沿って、複数本形成されており、スプール７が回転した際、指を押し当てることで、指の腹部が貫通孔内に入り込み、スプール７の回転に効果的に制動力を付与できるようになっている。貫通孔２０の形成個数は、スプール７の大きさによって変わるが、あまり多数本形成すると、スプール７の強度が低下してしまい、逆に少な過ぎると、微妙な制動力の調整が難しくなるため、隣接する貫通孔２０同士の間隔Ｗについては、１．０〜１０ｍｍとして、略均一となるように形成されている。すなわち、複数本形成される貫通孔２０の各周方向における間隔Ｗについては、スプール７の大きさに関係なく、上記した範囲内に設定される。また、一周あたりの貫通孔２０の本数は、サミング性の滑らかさを考慮すると、１６〜６０本が好ましく、強度、剛性のバランスも含めて特に２４〜４８本がより好ましい。
【００２２】
なお、貫通孔２０を形成する位置については、サミング操作のし易さを考慮して、スカート部７ｃの後方側にすることが好ましい。具体的には、スカート部７ｃの長さをＬとした場合、その後端Ｐから８０％以下の範囲に形成されていれば良い。
【００２３】
上記した構成の魚釣用スピニングリールによれば、実釣時に魚が掛かって釣糸が繰り出されてスプール７が回転した際、図２に示すように、ハンドル４を操作している手の指（主に人差し指）をそのままスカート部７ｃに押し付けることで、貫通孔２０の回転領域に対して微妙な制動力を付与することが可能となる。すなわち、スプール７と共に回転する細幅の貫通孔２０が、指の腹部に細かく密に食い込むため、サミング操作時に制動力が調整し易くなる。また、夫々の貫通孔２０は、溝状（有底）ではなく抜けた状態になっているため、手や釣糸に付着している水分が貫通孔内に浸入しても、内面側から逃げることができ、滑り難く、更には、各貫通孔２０の形成間隔Ｗも上記した範囲内で略均一に形成されていることから、魚の引きとのやり取りの最中、同一の制動感が得られるようになる。
【００２４】
図９及び図１０は、貫通孔の第１の変形例を示す図であり、図９は平面図、図１０は図９のＣ−Ｃ線に沿った断面図である。  
この変形例の貫通孔２０Ａは、長手方向の両端部の内面２１が直線状に傾斜しており（傾斜面２１）、外側の長さＬ１よりも内側の長さＬ２が短く形成されている。
【００２５】
上記したように、貫通孔２０Ａは、制動力を付与する際に指の腹部で押し付ける部分であるため、強度や剛性が重要となるが、上記したように、両端部を傾斜させたことで、スカート部の内側の開口領域が少なくなり、スプール７の強度や剛性を低下させることがなくなる。また、傾斜面２１の外面側の端部は鈍角となるので、サミングする指をＸ方向（図３）にスライドさせても引っ掛かったりせず、滑らかな調整が可能となり、指が痛くなることもない。なお、傾斜面２１は、貫通孔２０Ａのいずれか一方の端部に形成されていても良い。
【００２６】
図１１及び図１２は、貫通孔の第２の変形例を示す図であり、図１１は平面図、図１２は図１１のＤ−Ｄ線に沿った断面図である。  
この変形例の貫通孔２０Ｂは、上記した第１の変形例と同様、長手方向の両端部の内面２２が傾斜しており（傾斜面２２）、外側の長さＬ１よりも内側の長さＬ２が短く形成されている。また、各傾斜面２２は、図２に示すように、その表面が凹状に湾曲形成されている。
【００２７】
このように、傾斜面２２を凹状の湾曲面とすることで、制動時に指の食い込む断面積を大きくしながら、剛性及び強度の確保が可能となり、また、応力集中し難くすることが可能となる。また、前記凹状の湾曲面は、半径２０〜６０ｍｍの円弧状が指の形状とのフィット感が良く特に好ましい。なお、この変形例においても、傾斜面２２は、貫通孔２０Ｂのいずれか一方の端部に形成されていても良い。
【００２８】
図１３から図１６は、貫通孔の第３の変形例を示す図であり、図１３は平面図、図１４は図１３のＥ−Ｅ線に沿った断面図、図１５は図１３のＦ−Ｆ線に沿った断面図、そして、図１６は図１３のＧ−Ｇ線に沿った断面図である。  
この変形例の貫通孔２０Ｃは、上記した第２の変形例と同様、長手方向の両端部の内面（傾斜面）２２が傾斜し、かつその表面は凹状に湾曲形成されている。
【００２９】
また、前記貫通孔２０Ｃは、スカート部７ｃの前後方向（スプール軸方向）において、溝幅が変化する形状となっている。すなわち、図１３に示すように、スカート部７ｃの釣糸巻回胴部側の幅Ｗ１がリール本体側の幅Ｗ２よりも大きくなるように形成されており、これにより、指を当て付ける位置を軸方向にスライドさせることで、制動力を容易に調整することが可能となる。この場合、周方向における両サイドの内面２４を傾斜させることで（傾斜面２４）、剛性及び強度の確保が可能となり、応力集中し難くすることが可能となる。また、傾斜面２４の外面側の端部は鈍角となるので、サミングする指をＸ方向（図３）にスライドさせても引っ掛かったりせず、滑らかな調整が可能となり、指が痛くなることもない。なお、傾斜面２４については、図１４の傾斜面２２と同様、湾曲面として形成されていても良い。
【００３０】
図１７から図２３は、本発明に係るスピニングリールの第２の実施形態を示す図であり、図１７はスプール部分の拡大図、図１８は図１７のＨ−Ｈ線に沿った断面図、図１９は図１７のＩ−Ｉ線に沿った断面図、図２０は貫通孔を拡大した平面図、図２１は図１８に示した断面図の一部拡大図、図２２は図２０のＫ−Ｋ線に沿った断面図、そして、図２３は図２０のＬ−Ｌ線に沿った断面図である。なお、以下に説明する実施形態では、上記した実施形態及び変形例と同一の構成については、同一の参照符号を付して詳細な説明は省略する。
【００３１】
本実施形態のスプール７Ａのスカート部７ｃは、スプール軸方向に沿って外径が変化する形状となっている。具体的には、釣糸巻回胴部側がスプール軸と平行な円周面７ｅとなっており、リール本体側が、リール本体側に向けて次第に縮径（テーパ状に細径化）する円周傾斜面７ｆとなる形状に形成されている。
【００３２】
そして、スカート部７ｃに形成される貫通孔２０Ｄは、上記した第３の変形例と同様、スカート部７ｃの前後方向（スプール軸方向）において、溝幅が変化する形状となっており、図２０に示されるように、前記円周傾斜面７ｆが形成される位置を境にして、リール本体側が次第に細幅となるように形成されている。また、貫通孔２０Ｄは、前後方向の傾斜面２２が、上記した第３の変形例と同様、凹状の湾曲面として形成されており（図２１参照）、両サイドの傾斜面の内、円周面７ｅの領域では、複数の直線状の面２６ａ，２６ｂで構成される傾斜面２６（図２２参照）、円周傾斜面７ｆの領域では、直線状の傾斜面２４（図２３参照）として形成されている。
【００３３】
このような構成のスプールによれば、前後方向に指をずらすことで、外周面までの距離が変化して指の圧力が変化することから、制動力の調整を容易に行うことが可能となる。また、本実施形態においても、スカート部７ｃの釣糸巻回胴部側の幅Ｗ１がリール本体側の幅Ｗ２よりも大きくなるように形成されているため、指を当て付ける位置を軸方向にスライドさせることで、制動力を容易に調整することが可能となり、さらに、貫通孔２０Ｄの内面を適宜傾斜させたことで、剛性及び強度の確保が可能となり、応力集中し難くすることが可能となる。また、傾斜面２１の外面側の端部は鈍角となるので、サミングする指をＸ方向（図３）にスライドさせても引っ掛かったりせず、滑らかな調整が可能となり、指が痛くなることもない。なお、スカート部の形状変化については、更に段階的に外径が変化するように形成しても良いし、テーパ状に形状変化しても良い。
【００３４】
図２４から図２８は、本発明に係るスピニングリールの第３の実施形態を示す図であり、図２４はスプール部分の拡大図、図２５は図２４のＭ−Ｍ線に沿った断面図、図２６は貫通孔を拡大した平面図、図２７は図２５に示した断面図の一部拡大図、そして、図２８は図２４のＮ−Ｎ線に沿った断面図である。
【００３５】
本実施形態のスプール７Ｂのスカート部７ｃに形成される貫通孔２０Ｅは、その延びる方向が、スプール軸に対して傾斜するように形成されている。すなわち、各貫通孔２０Ｅの延出方向Ｘ１は、スプール軸に沿った方向Ｘに対して所定角度θ傾斜するように複数本形成されている（貫通孔同士の間隔Ｗは、延出方向Ｘ１に対して直交する方向となる）。この場合、各貫通孔２０Ｅの傾斜させる向きは、釣糸引き出し時のスプールの回転方向をＤ１とすると、釣糸巻回胴部側がＤ１方向に傾斜するように形成することが好ましい。また、その傾斜角度については、スプール軸に沿った方向Ｘに対して５°〜３５°に設定することが好ましい。
【００３６】
上記した構成のスプールによれば、貫通孔２０Ｅの方向が適度に傾斜しているため、制動力を弱めることが可能となり、微調整がし易いものを提供できる。特に、スカート部７ｃに当接させる指の腹部は、先端側（釣糸巻回胴部側）が大きな力になり易いことから、釣糸巻回胴部側を回転方向Ｄ１に傾斜させたことで、指先の長手方向における貫通孔２０Ｅの食い込む本数を減らすこととなり、摩擦力（制動力）を効果的に弱めることが可能となる。また、周方向に多数本形成される貫通孔２０Ｅが全体として傾斜していることから、外観の向上を図ることが可能となる。もちろん、傾斜させる方向については、リール本体側がＤ１方向に傾斜するように形成しても良く、その場合は、指の腹部により多くの貫通孔２０Ｅが食い込むので、強めの制動力となる。なお、本実施形態では、左ハンドル（図２）の場合であり、右ハンドルにした場合は、反対の傾向となる。以上のように、貫通孔を傾斜させることで制動力の調整幅が拡大する。
【００３７】
以上、本発明の実施形態について説明したが、本発明は、上記した実施形態に限定されることはなく、種々変形することが可能である。例えば、上記した各実施形態や変形例で説明した構成については適宜、組み合わせて実施することが可能である。また、貫通孔を規定する内面については、垂直面、直線状の傾斜面、湾曲状の傾斜面、及び、これらを組み合わせた面にする等、適宜、変形することが可能である。
【符号の説明】
【００３８】
１  リール本体
４  ハンドル
５  ロータ
７，７Ａ，７Ｂ  スプール
７ａ  釣糸巻回胴部
７ｃ  スカート部
１５  ドラグ機構
２０，２０Ａ〜２０Ｅ  貫通孔
【図１】
0005456127.tif 000002
【図２】
0005456127.tif 000003
【図３】
0005456127.tif 000004
【図４】
0005456127.tif 000005
【図５】
0005456127.tif 000006
【図６】
0005456127.tif 000007
【図７】
0005456127.tif 000008
【図８】
0005456127.tif 000009
【図９】
0005456127.tif 000010
【図１０】
0005456127.tif 000011
【図１１】
0005456127.tif 000012
【図１２】
0005456127.tif 000013
【図１３】
0005456127.tif 000014
【図１４】
0005456127.tif 000015
【図１５】
0005456127.tif 000016
【図１６】
0005456127.tif 000017
【図１７】
0005456127.tif 000018
【図１８】
0005456127.tif 000019
【図１９】
0005456127.tif 000020
【図２０】
0005456127.tif 000021
【図２１】
0005456127.tif 000022
【図２２】
0005456127.tif 000023
【図２３】
0005456127.tif 000024
【図２４】
0005456127.tif 000025
【図２５】
0005456127.tif 000026
【図２６】
0005456127.tif 000027
【図２７】
0005456127.tif 000028
【図２８】
0005456127.tif 000029